(57)【特許請求の範囲】
【請求項１】
相嵌合する第一コネクタと第二コネクタとをコネクタ離脱用治具を用いて離脱させるコネクタの離脱構造であって、
前記第一コネクタの第一コネクタハウジングは、該第一コネクタハウジングの前後方向後部側に押圧操作部を形成し且つ中間に第一係止部を形成した可撓性のあるロックアームを有し、
前記第二コネクタの第二コネクタハウジングは、前記第一係止部が係合可能となる第二係止部と、前記第一コネクタハウジングの前部及び前記第二コネクタハウジングの奥壁を臨む開口部とを有し、
前記コネクタ離脱用治具は、前記押圧操作部を押圧する押圧突起と、該押圧突起に対して所定の間隔で位置し且つ前記奥壁に当接する傾斜面を形成し且つ前記開口部を介して前記前部と前記奥壁との間に差し込まれる引き抜き補助突起とを有し、
前記第一コネクタと前記第二コネクタとの嵌合状態からこれらを離脱させる際には、前記押圧操作部を前記押圧突起で押圧して前記第一係止部と前記第二係止部との係合を解除するとともに、該係合の解除をしたままで前記前部と前記奥壁との間に前記引き抜き補助突起を差し込み且つ前記奥壁に当接した前記傾斜面を摺動させる
ことを特徴とするコネクタの離脱構造。
【請求項２】
請求項１に記載のコネクタの離脱構造において、
前記押圧突起の押圧と前記引き抜き補助突起の差し込みは、指で直接又はスライダを介して間接的に行う
ことを特徴とするコネクタの離脱構造。
【請求項３】
請求項１又は請求項２に記載のコネクタの離脱構造において、
前記奥壁に、前記引き抜き補助突起に対する差し込み案内用のテーパを形成する
ことを特徴とするコネクタの離脱構造。
【請求項４】
相嵌合する第一コネクタと第二コネクタとをこれらの嵌合状態から離脱させるコネクタ離脱用治具であって、
前記第一コネクタの第一コネクタハウジングに形成した可撓性のあるロックアームの前記第一コネクタハウジングの前後方向後部側に存する押圧操作部を押圧する押圧突起と、
前記第二コネクタの第二コネクタハウジングの奥壁に当接する傾斜面を有し且つ前記押圧突起が前記押圧操作部を押圧した状態で前記第一コネクタハウジングの前部と前記奥壁との間に差し込まれる引き抜き補助突起と、
前記押圧突起及び前記引き抜き補助突起に跨るブリッジ部と、
を備え、
全体を略コ字状に形成する
ことを特徴とするコネクタ離脱用治具。
【請求項５】
請求項４に記載のコネクタ離脱用治具において、
前記押圧突起及び／又は前記引き抜き補助突起を前記ブリッジ部に対しスライド自在にして前記押圧突起と前記引き抜き補助突起との間隔を可変可能にする
ことを特徴とするコネクタ離脱用治具。
【請求項６】
請求項４又は請求項５に記載のコネクタ離脱用治具において、
前記ブリッジ部に指先への装着用の装着部を設ける
ことを特徴とするコネクタ離脱用治具。
【請求項７】
請求項４又は請求項５に記載のコネクタ離脱用治具において、
前記ブリッジ部を手袋或いは指サックに固定する
ことを特徴とするコネクタ離脱用治具。
【請求項８】
相嵌合する第一コネクタと第二コネクタとをこれらの嵌合状態から離脱させるコネクタ離脱用治具であって、
前記第一コネクタの第一コネクタハウジングに形成した可撓性のあるロックアームの前記第一コネクタハウジングの前後方向後部側に存する押圧操作部を押圧する押圧突起と、
前記第二コネクタの第二コネクタハウジングの奥壁に当接する傾斜面を有し且つ前記押圧突起が前記押圧操作部を押圧した状態で前記第一コネクタハウジングの前部と前記奥壁との間に差し込まれる引き抜き補助突起と、
前記押圧突起及び前記引き抜き補助突起をそれぞれ所定の間隔で上下動自在に保持し且つ前記第二コネクタハウジングの外側に取り付けられる治具本体と、
前記押圧突起に形成した第一被駆動ピンを案内する第一カム溝及び前記引き抜き補助突起に形成した第二被駆動ピンを案内する第二カム溝を有し且つ前記治具本体に対して前後動可能なスライダと、
を備え、
該スライダをスライドさせると前記押圧突起及び前記引き抜き補助突起が順に移動する
ことを特徴とするコネクタ離脱用治具。
【請求項９】
請求項８に記載のコネクタ離脱用治具において、
前記治具本体に、前記第二コネクタハウジングの外側に設けた突条部を差し入れるスリットを形成する
ことを特徴とするコネクタ離脱用治具。
【発明の詳細な説明】
【０００１  】
【発明の属する技術分野】
本発明は、相嵌合する第一コネクタと第二コネクタとをコネクタ離脱用治具を用いて離脱させるコネクタの離脱構造と、前記コネクタ離脱用治具とに関する。
【０００２  】
【従来の技術】
図１５は、従来より一般的に知られているレバー嵌合式コネクタを示す斜視図である。レバー嵌合式コネクタＡは相嵌合する一対のコネクタハウジング１０１とコネクタハウジング１０２とから成り、一方のコネクタハウジング１０１の外周壁１０１ａには、嵌合、離脱の操作を行うレバー１０３が回動自在に設けられている。
【０００３  】
コネクタハウジング１０１は、合成樹脂材の成形加工により形成されており、図１６に示される如く、外周壁１０１ａの内側には複数の端子収容室１０４が形成されている。また、コネクタハウジング１０１には、スペーサ１０５が嵌着するようになっており、端子収容室１０４内に収容された端子金具（図示せず）の抜けが防止されている。端子収容室１０４の後方には、電線挿入筒部１０６が連設されている。
【０００４  】
外周壁１０１ａの両側には、レバー１０３を回動自在に支持するための支持突起１０７が設けられている。また、外周壁１０１ａの両側中間部には、外周壁１０１ａの嵌合側縁部１０１ｂから支持突起１０７に向けて切り込まれた導入溝１０８が開口形成されている。外周壁１０１ａの後端（電線挿入口１０１ｂ側）上下には、支持突起１０７と導入溝１０８とを結ぶ線に対し対称となる位置に、くさび形の係止突起１０９、１０９′が先端１０９ａ、１０９ａ′を斜め後方に向けて対向するように付設されている。
【０００５  】
他方のコネクタハウジング１０２は、コネクタハウジング１０１と同様に合成樹脂材の成形加工により形成されており、その内部にはコネクタハウジング１０１内の端子金具と嵌合する複数の端子金具１１０が収容されている。また、周壁１０２ａの両側には、被駆動ピン１１１が突設されている。
【０００６  】
レバー１０３は、両側の支承部１０３ａ、１０３ａ間を操作部１０３ｂで連結した、ほぼ門型の形状に形成されている。そして、支承部１０３ａに設けられた孔１１２をコネクタハウジング１０１の支持突起１０７に嵌入することにより、コネクタハウジング１０１に対し支持突起１０７を軸として回動可能に装着されている。
【０００７  】
レバー１０３の支承部１０３ａの内側には、カム溝１１３が設けられており、操作部１０３ｂのほぼ中央部内側には、二本の可撓係止腕１１４、１１４が付設されている。可撓係止腕１１４は、それぞれほぼＬ字形に形成されており、自由端部１１４ａを操作部１０３ｂ方向へ向け、基部１１４ａがレバー１０３の操作部１０３ｂに結合されている。自由端部１１４ｂ相互間には、板状の係止部１１５が架設されている。
【０００８  】
次に、双方のコネクタハウジング１０１、１０２を嵌合する際のレバー１０３の操作とロック機構について説明する。尚、コネクタハウジング１０１には、二つの係止突部１０９、１０９′が設けられているが、一方の係止突部１０９にレバー１０３をロックする場合について説明する。
【０００９  】
図１７に示されるように、他方のコネクタハウジング１０２を一方のコネクタハウジング１０１に接近させ、他方のコネクタハウジング１０２の被駆動ピン１１１を、一方のコネクタハウジング１０１の導入溝１０８内に導入してレバー１０３のカム溝１１３内に位置させる。そして、この状態でレバー１０３を矢印方向へ回動させると、被駆動ピン１１１がレバー１０３のカム溝１１３に沿って一方のコネクタハウジング１０１内に進入し、双方のコネクタハウジング１０１と１０２が互いに嵌合する。
【００１０  】
このとき、図１８に示されるように、レバー１０３に設けられた可撓係止腕１１４の係止部１１５が、一方のコネクタハウジング１０１の係止突部１０９の斜面部１０９ｂに当接する。さらに、レバー１０３を矢印方向へ回動させて行くと、図１９に示されるように、可撓係止腕１１４が撓み、係止部１１５の係止端１１５ａが係止突部１０９の先端１０９ａに接近する。
【００１１  】
矢印方向へのレバー１０３の回動を継続すると、係止部１１５の係止端１１５ａが係止突部１０９の先端１０９ａを乗り越える。係止端１１５ａが係止突部１０９を乗り越えると、上方へ撓んでいた可撓係止腕１１４がそれ自体の弾性力により復元し、図２０に示されるように、係止部１１５の係止端１１５ａが係止突部１０９の下側に係合し、レバー１０３が一方のコネクタハウジング１０１にロックされる。
【００１２  】
その後、レバー１０３のロックを解除する際には、図２１に示されるように、可撓係止腕１１４の係止部１１５とレバー１０３の操作部１０３ｂとを手指で閉じるように摘むと、可撓係止腕１１４が上方へ撓み、係止部１１５の係止端１１５ａが係止突部１０９の先端１０９ａから外れ、レバー１０３が回動可能となる。そして、図２１の矢印方向へレバー１０３を回動させれば、嵌合操作の逆操作が行われ、レバー１０３のカム溝１１３に沿って被駆動ピン１１１が移動し、一方のコネクタハウジング１０１から他方のコネクタハウジング１０２が離脱する。
【００１３  】
【発明が解決しようとする課題】
ところで、上記従来技術にあっては、図２１の矢印方向へレバー１０３を回動させることにより、小さな力で一方のコネクタハウジング１０１と他方のコネクタハウジング１０２との離脱を行うことができるようなっている。これは近年、ワイヤハーネスのリサイクルにおいて効率よく解体するという点に対し効果的である。
【００１４  】
しかしながら、レバー１０３を設けることにより、一方のコネクタハウジング１０１毎の構成部品点数の増大につながり、コネクタ全体の構造も複雑化してしまうという問題点を有している。また、レバー１０３の回動によりその回動範囲内のスペースが占有され、その結果、大型なコネクタになってしまうという問題点も有している。
【００１５  】
本発明は、上述した事情に鑑みてなされるもので、構成部品点数を削減し、構造を簡素化し、サイズを小型化した上で、容易にコネクタの離脱を行うことが可能なコネクタの離脱構造及びコネクタ離脱用治具を提供することを課題とする。
【００１６  】
【課題を解決するための手段】
上記課題を解決するためなされた請求項１記載の本発明のコネクタの離脱構造は、相嵌合する第一コネクタと第二コネクタとをコネクタ離脱用治具を用いて離脱させるコネクタの離脱構造であって、前記第一コネクタの第一コネクタハウジングは、該第一コネクタハウジングの前後方向後部側に押圧操作部を形成し且つ中間に第一係止部を形成した可撓性のあるロックアームを有し、前記第二コネクタの第二コネクタハウジングは、前記第一係止部が係合可能となる第二係止部と、前記第一コネクタハウジングの前部及び前記第二コネクタハウジングの奥壁を臨む開口部とを有し、前記コネクタ離脱用治具は、前記押圧操作部を押圧する押圧突起と、該押圧突起に対して所定の間隔で位置し且つ前記奥壁に当接する傾斜面を形成し且つ前記開口部を介して前記前部と前記奥壁との間に差し込まれる引き抜き補助突起とを有し、前記第一コネクタと前記第二コネクタとの嵌合状態からこれらを離脱させる際には、前記押圧操作部を前記押圧突起で押圧して前記第一係止部と前記第二係止部との係合を解除するとともに、該係合の解除をしたままで前記前部と前記奥壁との間に前記引き抜き補助突起を差し込み且つ前記奥壁に当接した前記傾斜面を摺動させることを特徴としている。
【００１７  】
請求項２記載の本発明のコネクタの離脱構造は、請求項１に記載のコネクタの離脱構造において、前記押圧突起の押圧と前記引き抜き補助突起の差し込みは、指で直接又はスライダを介して間接的に行うことを特徴としている。
【００１８  】
請求項３記載の本発明のコネクタの離脱構造は、請求項１又は請求項２に記載のコネクタの離脱構造において、前記奥壁に、前記引き抜き補助突起に対する差し込み案内用のテーパを形成することを特徴としている。
【００１９  】
上記課題を解決するためなされた請求項４記載の本発明のコネクタ離脱用治具は、相嵌合する第一コネクタと第二コネクタとをこれらの嵌合状態から離脱させるコネクタ離脱用治具であって、前記第一コネクタの第一コネクタハウジングに形成した可撓性のあるロックアームの前記第一コネクタハウジングの前後方向後部側に存する押圧操作部を押圧する押圧突起と、前記第二コネクタの第二コネクタハウジングの奥壁に当接する傾斜面を有し且つ前記押圧突起が前記押圧操作部を押圧した状態で前記第一コネクタハウジングの前部と前記奥壁との間に差し込まれる引き抜き補助突起と、前記押圧突起及び前記引き抜き補助突起に跨るブリッジ部と、を備え、全体を略コ字状に形成することを特徴としている。
【００２０  】
請求項５記載の本発明のコネクタ離脱用治具は、請求項４に記載のコネクタ離脱用治具において、前記押圧突起及び／又は前記引き抜き補助突起を前記ブリッジ部に対しスライド自在にして前記押圧突起と前記引き抜き補助突起との間隔を可変可能にすることを特徴としている。
【００２１  】
請求項６記載の本発明のコネクタ離脱用治具は、請求項４又は請求項５に記載のコネクタ離脱用治具において、前記ブリッジ部に指先への装着用の装着部を設けることを特徴としている。
【００２２  】
請求項７記載の本発明のコネクタ離脱用治具は、請求項４又は請求項５に記載のコネクタ離脱用治具において、前記ブリッジ部を手袋或いは指サックに固定することを特徴としている。
【００２３  】
上記課題を解決するためなされた請求項８記載の本発明のコネクタ離脱用治具は、相嵌合する第一コネクタと第二コネクタとをこれらの嵌合状態から離脱させるコネクタ離脱用治具であって、前記第一コネクタの第一コネクタハウジングに形成した可撓性のあるロックアームの前記第一コネクタハウジングの前後方向後部側に存する押圧操作部を押圧する押圧突起と、前記第二コネクタの第二コネクタハウジングの奥壁に当接する傾斜面を有し且つ前記押圧突起が前記押圧操作部を押圧した状態で前記第一コネクタハウジングの前部と前記奥壁との間に差し込まれる引き抜き補助突起と、前記押圧突起及び前記引き抜き補助突起をそれぞれ所定の間隔で上下動自在に保持し且つ前記第二コネクタハウジングの外側に取り付けられる治具本体と、前記押圧突起に形成した第一被駆動ピンを案内する第一カム溝及び前記引き抜き補助突起に形成した第二被駆動ピンを案内する第二カム溝を有し且つ前記治具本体に対して前後動可能なスライダと、を備え、該スライダをスライドさせると前記押圧突起及び前記引き抜き補助突起が順に移動することを特徴としている。
【００２４  】
請求項９記載の本発明のコネクタ離脱用治具は、請求項８に記載のコネクタ離脱用治具において、前記治具本体に、前記第二コネクタハウジングの外側に設けた突条部を差し入れるスリットを形成することを特徴としている。
【００２５  】
請求項１に記載された本発明によれば、第一コネクタと第二コネクタとの嵌合状態からコネクタ離脱用治具を用いてこれら二つのコネクタを離脱させる構造であり、先ず、第一コネクタの第一コネクタハウジングにおけるロックアームの押圧操作部をコネクタ離脱用治具の押圧突起で押圧する。これにより、ロックアームが撓み、係合状態にあったロックアームの第一係止部と第二コネクタの第二コネクタハウジングの第二係止部との係合が解除される。
次に、第一係止部と第二係止部との係合が解除された状態で、第一コネクタハウジングの前部及び第二コネクタハウジングの奥壁の間にコネクタ離脱用治具の引き抜き補助突起を差し込む。その引き抜き補助突起は、第二コネクタの開口部を介して差し込まれ、差し込まれた際には、引き抜き補助突起の傾斜面が第二コネクタハウジングの奥壁に当接する。
続いて、コネクタ離脱用治具の引き抜き補助突起の差し込みを継続すると、第二コネクタハウジングの奥壁に当接した引き抜き補助突起の傾斜面がその奥壁を摺動する。傾斜面であることから、所定の間隔となる引き抜き補助突起及び押圧突起によって第一コネクタハウジングが押し出される状態になり、第一コネクタハウジングの前部及び第二コネクタハウジングの奥壁の間隔が徐々に広がって相嵌合する第一コネクタと第二コネクタとの離脱が開始する。
そして、ある程度間隔が広がると、第一コネクタハウジング及び第二コネクタハウジング同士、特に端子金具同士の摩擦抵抗が緩和される。この状態において、作業者自身の手で第一コネクタ及び第二コネクタそれぞれを引っ張ると容易にこれらが離脱し、作業が完了する。
請求項１に記載された本発明は、第一コネクタと第二コネクタとの嵌合状態からこれら二つのコネクタを離脱させる構造としてコネクタ離脱用治具が用いられる。少なくとも離脱の作業に必要な数だけコネクタ離脱用治具を揃えればよく、コネクタハウジング毎の構成部品点数の増大につながることはない。また、コネクタ離脱用治具は、第一コネクタ及び第二コネクタそれぞれに対し別体になることから、コネクタ全体の構造が複雑化したり大型化したりすることもない。請求項１に記載された本発明のコネクタの離脱構造は、構成部品点数を削減し、構造を簡素化し、サイズを小型化した上で、容易にコネクタの離脱を行うことができる。
【００２６  】
請求項２に記載された本発明によれば、指で直接又はスライダを介して間接的に押圧突起の押圧と引き抜き補助突起の差し込みが行われる。例えば作業環境や端子金具同士の摩擦抵抗の大小に応じてコネクタ離脱用治具の使い分けが可能になる。
【００２７  】
請求項３に記載された本発明によれば、コネクタ離脱用治具の引き抜き補助突起が第一コネクタハウジングの前部及び第二コネクタハウジングの奥壁の間にスムーズに案内される。コネクタ離脱用治具の操作がし易くなる。
【００２８  】
請求項４に記載された本発明によれば、第一コネクタと第二コネクタとの嵌合状態からこれら二つのコネクタを離脱させるコネクタ離脱用治具であり、先ず、指で押圧突起を押圧して第一コネクタの第一コネクタハウジングのロックアームを撓ませる。これにより、係合状態にあったロックアームの第一係止部と第二コネクタの第二コネクタハウジングの第二係止部との係合が解除される。次に、押圧突起の押圧を維持した状態で、第一コネクタハウジングの前部及び第二コネクタハウジングの奥壁の間に引き抜き補助突起を指で押圧して差し込む。この時、引き抜き補助突起に形成された傾斜面は第二コネクタハウジングの奥壁に当接する。
続いて、引き抜き補助突起の差し込みを継続すると、第二コネクタハウジングの奥壁に当接した引き抜き補助突起の傾斜面がその奥壁を摺動する。傾斜面であることから、ブリッジ部により所定の間隔となる引き抜き補助突起及び押圧突起によって第一コネクタハウジングが押し出される状態になり、第一コネクタハウジングの前部及び第二コネクタハウジングの奥壁の間隔が徐々に広がって相嵌合する第一コネクタと第二コネクタとの離脱が開始する。そして、ある程度間隔が広がると、第一コネクタハウジング及び第二コネクタハウジング同士、特に端子金具同士の摩擦抵抗が緩和される。
請求項４に記載された本発明は、第一コネクタと第二コネクタとの嵌合状態からこれら二つのコネクタを離脱させる際に用いられる。少なくとも離脱の作業に必要な数だけコネクタ離脱用治具を揃えればよく、コネクタハウジング毎の構成部品点数の増大につながることはない。また、第一コネクタ及び第二コネクタそれぞれに対し別体になることから、コネクタ全体の構造が複雑化したり大型化したりすることもない。請求項４に記載された本発明のコネクタ離脱用治具は、構成部品点数を削減し、構造を簡素化し、サイズを小型化した上で、容易にコネクタの離脱を行うことができる。
【００２９  】
請求項５に記載された本発明によれば、第一コネクタハウジングのロックアームの押圧操作部と第二コネクタハウジングの奥壁との間隔が広い場合に、押圧突起と引き抜き補助突起との間隔をスライドによって広げて対応することが可能になる。また同様に、ロックアームの押圧操作部と第二コネクタハウジングの奥壁との間隔が狭い場合には、押圧突起と引き抜き補助突起との間隔をスライドによって狭めて対応することが可能になる。
【００３０  】
請求項６に記載された本発明によれば、指先に装着して用いられるコネクタ離脱用治具になる。指先に装着することにより、コネクタの離脱に係る作業が安定して行えるようになる。
【００３１  】
請求項７に記載された本発明によれば、手袋或いは指サックに固定して用いられるコネクタ離脱用治具になる。手袋或いは指サックに固定することにより、コネクタの離脱に係る作業が安定して行えるようになる。
【００３２  】
請求項８に記載された本発明によれば、第一コネクタと第二コネクタとの嵌合状態からこれら二つのコネクタを離脱させるコネクタ離脱用治具であり、先ず、スライダをスライドさせて押圧突起を移動させ第一コネクタの第一コネクタハウジングのロックアームを撓ませる。これにより、係合状態にあったロックアームの第一係止部と第二コネクタの第二コネクタハウジングの第二係止部との係合が解除される。次に、押圧突起の押圧を維持した状態で、更にスライダをスライドさせ第一コネクタハウジングの前部及び第二コネクタハウジングの奥壁の間に引き抜き補助突起を差し込むように移動させる。この時、引き抜き補助突起に形成された傾斜面は第二コネクタハウジングの奥壁に当接する。
続いて、更にスライダをスライドさせ引き抜き補助突起の差し込みを継続すると、第二コネクタハウジングの奥壁に当接した引き抜き補助突起の傾斜面がその奥壁を摺動する。傾斜面であることから、治具本体における配置により所定の間隔となる引き抜き補助突起及び押圧突起によって第一コネクタハウジングが押し出される状態になり、第一コネクタハウジングの前部及び第二コネクタハウジングの奥壁の間隔が徐々に広がって相嵌合する第一コネクタと第二コネクタとの離脱が開始する。そして、ある程度間隔が広がると、第一コネクタハウジング及び第二コネクタハウジング同士、特に端子金具同士の摩擦抵抗が緩和される。
請求項８に記載された本発明は、第一コネクタと第二コネクタとの嵌合状態からこれら二つのコネクタを離脱させる際に用いられる。少なくとも離脱の作業に必要な数だけコネクタ離脱用治具を揃えればよく、コネクタハウジング毎の構成部品点数の増大につながることはない。また、第一コネクタ及び第二コネクタそれぞれに対し別体になることから、コネクタ全体の構造が複雑化したり大型化したりすることもない。請求項８に記載された本発明のコネクタ離脱用治具は、構成部品点数を削減し、構造を簡素化し、サイズを小型化した上で、容易にコネクタの離脱を行うことができる。
【００３３  】
請求項９に記載された本発明によれば、治具本体のスリットに第二コネクタハウジングの突条部を差し入れて、すなわち、治具本体の位置決めをした状態でコネクタの離脱に係る作業を開始することが可能になる。
【００３４  】
【発明の実施の形態】
以下、図面を参照して本発明の実施の形態を説明する。
図１は本発明のコネクタの離脱構造及びコネクタ離脱用治具の一実施の形態を示す斜視図である。また、図２は嵌合状態の第一コネクタ及び第二コネクタの断面図である。
【００３５  】
図１において、引用符号１、２は雌型の第一コネクタ、雄型の第二コネクタを示しており、相嵌合するように構成されている。また、引用符号３は第一コネクタ１と第二コネクタ２との嵌合状態からこれら二つのコネクタ１、２を離脱させる際に用いられるコネクタ離脱用治具を示している。
【００３６  】
図１及び図２において、第一コネクタ１は、合成樹脂製の第一コネクタハウジング４と、図示しない複数の端子金具とを備えて構成されている。複数の端子金具は、それぞれ第一コネクタハウジング４内に形成された複数の端子収容室に収容されており、ワイヤハーネスを構成する複数の電線５の各端末が接続されている。複数の端子金具及び複数の端子収容室は、既知のものと同じであるものとし、その説明及び図示をここでは省略するものとする。
【００３７  】
第一コネクタハウジング４は、箱形形状に形成されており、第一コネクタハウジング４の前面には、上記図示しない端子収容室に第二コネクタ２の後述する図示しない端子金具を導入するための孔が複数形成されている。第一コネクタハウジング４の後面には、図示しない端子金具に対する挿入口が複数形成されている。第一コネクタハウジング４の上面には、ロックアーム６と複数のガイドリブ７とロックアーム保護部８とが形成されている。
【００３８  】
ロックアーム６は、その基端部が第一コネクタハウジング４の前部側に連成されており、且つアーム先端が第一コネクタハウジング４の後部側にのびる片持ちアーム状に形成されている。すなわち、ロックアーム６は、第一コネクタハウジング４の前後方向にのびるように形成されている。ロックアーム６のアーム先端上面には、押圧操作部９が形成されている。また、ロックアーム６の中間上面には、突起状の第一係止部１０が形成されている。ロックアーム６は、押圧操作部９を押圧することにより、アーム先端下面が第一コネクタハウジング４の上面に接触する方向に弾性変形するようになっている。
【００３９  】
複数のガイドリブ７は、第一コネクタハウジング４の前後方向にのびており、その後部側には、ロックアーム保護部８が連成されている。ロックアーム保護部８は、門型であって、第一コネクタハウジング４の左右方向にのびて形成されている。また、ロックアーム保護部８は、所定の間隔をあけてロックアーム６のアーム先端側を覆っている。
【００４０  】
第二コネクタ２は、合成樹脂製の第二コネクタハウジング１１と、図示しない複数の端子金具とを備えて構成されている。複数の端子金具は、それぞれ第二コネクタハウジング１１内に形成された複数の端子収容室に収容されており、ワイヤハーネスを構成する複数の電線１２の各端末が接続されている。複数の端子金具及び複数の端子収容室は、既知のものと同じであるものとし、その説明及び図示をここでは省略するものとする。
【００４１  】
第二コネクタハウジング１１は、前面が開放された箱形形状に形成されている。また、第二コネクタハウジング１１は、上記前面を介して内側に第一コネクタハウジング４が嵌合するように形成されている。第二コネクタハウジング１１の上記内側には、奥壁（後面を有する壁）を介して上記図示しない複数の端子金具の電気接触部が突出しており、第一コネクタハウジング４が嵌合した際には、上記孔を介して第一コネクタ１の端子金具と電気的に接続されるようになっている。第二コネクタハウジング１１の上壁（上面を有する壁）には、第二係止部１３と複数のガイド溝１４と開口部１５とが形成されている。
【００４２  】
第二係止部１３は、上記上壁の内側であって第一コネクタ１の第一係止部１０が係合可能となる突起状に形成されている。複数のガイド溝１４は、第二コネクタハウジング１１の前後方向にのびており、第一コネクタ１の複数のガイドリブ７を案内することができるように形成されている。開口部１５は、上記上壁の後部に形成されている。また、開口部１５は、上記内側に貫通するように形成されている。開口部１５からは、上記奥壁と、第一コネクタハウジング４の前部（嵌合時において）とが臨めるようになっている。
【００４３  】
尚、上記奥壁の図２中の仮想線で示される位置にテーパ１６を形成してもよいものとする。そのテーパ１６は、後述する引き抜き補助突起１８に対する差し込み案内用のテーパであって、引き抜き補助突起１８を第一コネクタハウジング４の前部及び第二コネクタハウジング１１の奥壁の間にスムーズに案内するようになっている（コネクタ離脱用治具３の操作がし易くなるという利点がある。但し、テーパ１６は小さい方が好ましいものとする）。
【００４４  】
コネクタ離脱用治具３は、図１に示される如く、押圧突起１７と引き抜き補助突起１８とブリッジ部１９とを備えて構成されており、全体が略コ字状に形成されている。押圧突起１７は、第一コネクタ１の押圧操作部９を押圧するための部分であって、本形態においては四角柱状に形成されている（この形状に限るものではない）。
【００４５  】
引き抜き補助突起１８は、第一コネクタハウジング４の前部（前面）と第二コネクタハウジング１１の奥壁との間に差し込まれる部分であって、傾斜面２０を有するように形成されている。また、引き抜き補助突起１８は、上記左右方向からの側面視が三角形状になるように形成されている。傾斜面２０は、第二コネクタハウジング１１の奥壁側に形成されている。傾斜面２０の角度は適宜角度に設定されている。引き抜き補助突起１８における第一コネクタハウジング４の前部側は、上記上下方向に平行な平坦な面として形成されている。
【００４６  】
ブリッジ部１９は、押圧突起１７及び引き抜き補助突起１８に跨るように形成されている。また、ブリッジ部１９は、押圧突起１７及び引き抜き補助突起１８の間隔を所定の間隔に保つとともに、操作部としての機能を有している。コネクタ離脱用治具３は、十分な剛性を確保することができる材料で形成されている（合成樹脂、金属、木等いずれであってもよいものとする）。
【００４７  】
次に、上記構成に基づいて、本発明のコネクタの離脱構造及びコネクタ離脱用治具に係る作用を説明する。
【００４８  】
図３はコネクタの離脱に係る作業開始時のコネクタ離脱用治具の位置関係を示す断面図、図４はコネクタ離脱用治具の押圧突起がロックアームの押圧操作部に当接した状態を示す断面図、図５はコネクタ離脱用治具の押圧突起がロックアームの押圧操作部を押圧しロックアームを撓ませてロックアームの第一係止部と第二コネクタの第二コネクタハウジングの第二係止部との係合を解除した状態を示す断面図、図６は第一コネクタハウジングの前部及び第二コネクタハウジングの奥壁との間にコネクタ離脱用治具の引き抜き補助突起が差し込まれ第一コネクタと第二コネクタとの離脱が開始した状態を示す断面図である。
【００４９  】
図３において、コネクタの離脱に係る作業を開始する際には、先ず、嵌合状態にある第一コネクタ１及び第二コネクタ２の上方にコネクタ離脱用治具３を配置する。具体的には、第一コネクタ１の押圧操作部９の上方にコネクタ離脱用治具３の押圧突起１７を、また、開口部１５から臨む第一コネクタハウジング４の前部及び第二コネクタハウジング１１の奥壁の上方にコネクタ離脱用治具３の引き抜き補助突起１８を配置する。
【００５０  】
次に、コネクタ離脱用治具３の配置が終わると、図４に示される如く、コネクタ離脱用治具３を下方へ移動させ上記作業を開始する。この時、コネクタ離脱用治具３の押圧突起１７は、第一コネクタ１の押圧操作部９に当接し、コネクタ離脱用治具３の引き抜き補助突起１８の先端は、開口部１５を介して第一コネクタハウジング４の前部及び第二コネクタハウジング１１の奥壁の間に当接する。
【００５１  】
続いて、図５に示される如く、上記状態から指で押圧突起１７を押圧して第一コネクタハウジング４のロックアーム６を撓ませる（矢線Ａ付近を指で押圧する）。この時、係合状態にあったロックアーム６の第一係止部１０と第二コネクタハウジング１１の第二係止部１３との係合が解除される。尚、引き抜き補助突起１８の先端は、第一コネクタハウジング４の前部及び第二コネクタハウジング１１の奥壁の間に当接したままである。
【００５２  】
続いてさらに、図６に示される如く、上記状態から押圧突起１７の押圧を維持した状態で、第一コネクタハウジング４の前部及び第二コネクタハウジング１１の奥壁の間に引き抜き補助突起１８を指で押圧して差し込む（矢線Ｂ付近を指で押圧する）。この時、引き抜き補助突起１８の傾斜面２０が第二コネクタハウジング１１の奥壁に当接する。
【００５３  】
そして、引き抜き補助突起１８の差し込みを継続すると、第二コネクタハウジング１１の奥壁に当接した傾斜面２０がその奥壁を摺動する。この時、傾斜面２０は適宜角度を有していることから、ブリッジ部１９により所定の間隔となる引き抜き補助突起１８及び押圧突起１７によって、第一コネクタハウジング４が矢線Ｃ方向に押し出され、第一コネクタハウジング４の前部及び第二コネクタハウジング１１の奥壁の間隔が徐々に広がる。これにより、相嵌合する第一コネクタ１と第二コネクタ２との離脱が開始する。
【００５４  】
ある程度、上記間隔が広がると、第一コネクタハウジング４及び第二コネクタハウジング１１同士、特に上記図示しない端子金具同士の摩擦抵抗が緩和される。この状態において、作業者自身の手で第一コネクタ１及び第二コネクタ２それぞれを引っ張ると容易にこれらが離脱し、作業が完了する。
【００５５  】
以上、図１ないし図６までを参照しながら説明してきたように、第一コネクタ１と第二コネクタ２との嵌合状態からこれら二つのコネクタ１、２を離脱させるためにコネクタ離脱用治具３が用いられる。従って、少なくとも離脱の作業に必要な数だけコネクタ離脱用治具３を揃えればよく、従来のようなコネクタハウジング毎の構成部品点数の増大につながることはない。また、コネクタ離脱用治具３は、第一コネクタ１及び第二コネクタ２それぞれに対し別体になることから、コネクタ全体の構造が複雑化したり大型化したりすることもない。
【００５６  】
続いて、図７を参照しながら上記コネクタ離脱用治具３の第一変形例を説明する。
【００５７  】
図７（ａ）、（ｃ）において、第一変形例となるコネクタ離脱用治具２１は、押圧突起２２と引き抜き補助突起２３とブリッジ部２４とを備えて構成されている。また、コネクタ離脱用治具２１は、押圧突起２２がブリッジ部２４に対しスライド自在となるように形成されている（これに限らず、引き抜き補助突起２３がブリッジ部２４に対してスライド自在、或いは押圧突起２２と引き抜き補助突起２３とがブリッジ部２４に対してスライド自在でもよい）。コネクタ離脱用治具２１は、十分な剛性を確保することができる材料で形成されている（合成樹脂、金属、木等いずれであってもよいものとする）。
【００５８  】
押圧突起２２は、その下部が上記第一コネクタ１の押圧操作部９を押圧するための部分として四角柱状に形成されている（この形状に限るものではない）。また、押圧突起２２の上部は、ブリッジ部２４をスライドし且つ位置決めが可能となるような形状に形成されている。本形態においては、摺動部２５とロック部２６とを有するように形成されている。摺動部２５及びロック部２６は、上下方向に所定の間隔を有して配設されている。ロック部２６は可撓性を有するものとする。
【００５９  】
引き抜き補助突起２３は、上記第一コネクタハウジング４の前部（前面）と第二コネクタハウジング１１の奥壁との間に差し込まれる部分であって、傾斜面２７を有するように形成されている。また、引き抜き補助突起２３は、左右方向からの側面視が三角形状になるように形成されている（上記引き抜き補助突起１８と基本的に同じものとする）。
【００６０  】
ブリッジ部２４は、操作部としての機能を有しており、その一端に引き抜き補助突起２３が連成されている。また、他端には、押圧突起２２が取り付けられるようになっている。ブリッジ部２４には、ロック部２６が係合する被ロック部２８が複数形成されている。
【００６１  】
上記構成において、押圧突起２２をブリッジ部２４の上記他端に固定し押圧突起２２と引き抜き補助突起２３との間隔を広くすると（図７（ａ）参照）、第一コネクタハウジングのロックアームの押圧操作部と第二コネクタハウジングの奥壁との間隔が広い場合に対応させることが可能になる（言い換えれば、図７（ｂ）に示されるような第一コネクタハウジング２９に対応させることが可能になる）。
【００６２  】
また、押圧突起２２をブリッジ部２４の中間に固定し押圧突起２２と引き抜き補助突起２３との間隔を狭めると（図７（ｃ）参照）、第一コネクタハウジングのロックアームの押圧操作部と第二コネクタハウジングの奥壁との間隔が狭い場合に対応させることが可能になる（言い換えれば、図７（ｄ）に示されるような第一コネクタハウジング３０に対応させることが可能になる）。
【００６３  】
従って、第一変形例となるコネクタ離脱用治具２１は、第一コネクタハウジングのロックアームの押圧操作部と第二コネクタハウジングの奥壁との間隔が一定でない様々なタイプのコネクタの離脱に適用することができるという利点がある。
【００６４  】
続いてさらに、図８を参照しながら上記コネクタ離脱用治具３の第二変形例を説明する。尚、上記コネクタ離脱用治具３と基本的に同じ部分には同一の符号を付してその説明を省略するものとする。
【００６５  】
図８において、第二変形例となるコネクタ離脱用治具３１は、押圧突起１７と引き抜き補助突起１８とブリッジ部１９とを備えて構成されており、ブリッジ部１９には、指先３２への装着用の装着部３３が設けられている。上記構成において、コネクタ離脱用治具３１は、指先３２へ装着された上で用いられるようになっている。従って、コネクタの離脱に係る作業を安定して行うことができるという利点がある。
【００６６  】
尚、装着部３３に限らずブリッジ部１９を手袋或いは指サックに固定して用いることも可能であるものとする（コネクタの離脱に係る作業を安定して行うことができる）。
【００６７  】
図９は本発明によるコネクタの離脱構造及びコネクタ離脱用治具の他の一実施の形態を示す分解斜視図である。
【００６８  】
図９において、引用符号１、２は上記と同じ雌型の第一コネクタ、雄型の第二コネクタを示している。また、引用符号３４は第一コネクタ１と第二コネクタ２との嵌合状態からこれら二つのコネクタ１、２を離脱させる際に用いられるコネクタ離脱用治具を示している。
【００６９  】
第二コネクタ２の第二コネクタハウジング１１の側壁外側には、突条部３５が形成されている。その突条部３５は、リブ状であって、第二コネクタハウジング１１の後部から前部に向けて真っ直ぐに形成されている。本形態において、突条部３５は、コネクタ離脱用治具３４の位置決め用として形成されている。
【００７０  】
コネクタ離脱用治具３４は、押圧突起３６と引き抜き補助突起３７と治具本体３８とスライダ３９とを備えて構成されている。また、コネクタ離脱用治具３４は、例えば合成樹脂の成形により形成されている。押圧突起３６は、第一コネクタ１の押圧操作部９を押圧するための部分であって、本形態においては四角柱状に形成されている（この形状に限るものではない）。押圧突起３６の側部には、一対の第一被駆動ピン４０が設けられている。
【００７１  】
引き抜き補助突起３７は、第一コネクタハウジング４の前部と第二コネクタハウジング１１の奥壁との間に差し込まれる部分であって、傾斜面４１を有するように形成されている。また、引き抜き補助突起３７は、左右方向からの側面視が三角形状になるように形成されている。傾斜面４１は、第二コネクタハウジング１１の奥壁側に形成されている。傾斜面４１の角度は適宜角度に設定されている。引き抜き補助突起３７における第一コネクタハウジング４の前部側は、上下方向に平行な平坦な面として形成されている。引き抜き補助突起３７の側部には、一対の第二被駆動ピン４２が設けられている。
【００７２  】
治具本体３８は、離脱に係る作業の際に第二コネクタハウジング１１の外側に取り付けられる略箱状の部材であって、その上部には上下方向に貫通する第一案内孔４３及び第二案内孔４４と、前後方向に貫通する一対の第三案内孔４５とが形成されている。また、治具本体３８の上記上部に連成される側壁には、第二コネクタハウジング１１の突条部３５を差し入れるためのスリット４６が形成されている。スリット４６は、前方から後方に向けて切り欠き形成されている。スリット４６に突条部３５を差し入れると、コネクタ離脱用治具３４の位置決めがなされるようになっている。
【００７３  】
第一案内孔４３は、押圧突起３６を上下動自在に保持するように形成されている。また、第二案内孔４４は、引き抜き補助突起３７を上下動自在に保持するように形成されている。第一案内孔４３及び第二案内孔４４は、所定の間隔となるように配置形成されている。一対の第三案内孔４５は、スライダ３９を案内する部分であって、第一案内孔４３及び第二案内孔４４を貫通するように形成されている。
【００７４  】
スライダ３９は、帯状の部材をコ字状に形成したものであって、相対向する一対のスライド部４７と、これらをつなぐ連結部４８とを有している。スライド部４７には、押圧突起３６の第一被駆動ピン４０が差し込まれ、これを案内する第一カム溝４９と、引き抜き補助突起３７の第二被駆動ピン４２が差し込まれ、これを案内する第二カム溝５０とが形成されている。
【００７５  】
押圧突起３６、引き抜き補助突起３７、及びスライダ３９を治具本体３８に組み付け、スライダ３９を前後方向にスライドさせると、図中に示されるような第一カム溝４９及び第二カム溝５０の経路によって、押圧突起３６と引き抜き補助突起３７とが順に上下動するように構成されている。
【００７６  】
上記構成に基づいて、本発明のコネクタの離脱構造及びコネクタ離脱用治具に係る作用を説明する。
【００７７  】
図１０はコネクタの離脱に係る作業開始時のコネクタ離脱用治具の位置関係を示す断面図、図１１は図１０の状態においてのコネクタ離脱用治具の斜視図（（ａ）は治具全体の斜視図、（ｂ）は部分的な斜視図）、図１２はコネクタ離脱用治具の押圧突起がロックアームの押圧操作部を押圧しロックアームを撓ませてロックアームの第一係止部と第二コネクタの第二コネクタハウジングの第二係止部との係合を解除した状態を示す断面図、図１３は第一コネクタハウジングの前部及び第二コネクタハウジングの奥壁との間にコネクタ離脱用治具の引き抜き補助突起が差し込まれ第一コネクタと第二コネクタとの離脱が開始した状態を示す断面図、図１４は図１３の状態においてのコネクタ離脱用治具の斜視図（（ａ）は治具全体の斜視図、（ｂ）は部分的な斜視図）である。
【００７８  】
図１０において、コネクタの離脱に係る作業を開始する際には、先ず、嵌合状態にある第一コネクタ１及び第二コネクタ２の上方からコネクタ離脱用治具３４を近づけ、第二コネクタ２の突条部３５をスリット４６に差し入れてコネクタ離脱用治具３４を第二コネクタ２に取り付ける。この時、第一コネクタ１の押圧操作部９の上方には、コネクタ離脱用治具３４の押圧突起３６が、また、開口部１５から臨む第一コネクタハウジング４の前部及び第二コネクタハウジング１１の奥壁の上方には、コネクタ離脱用治具３４の引き抜き補助突起３７が配置される。図１０及び図１１において、スライダ３９は、前方から後方へ向けて押し込まれた状態に配置され、押圧突起３６及び引き抜き補助突起３７は最上位置に配置される。
【００７９  】
次に、コネクタ離脱用治具３４の取り付けが終わると、図１２に示される如く、スライダ３９を後方から前方に向けて、すなわち矢線Ｄ方向にスライドさせて押圧突起３６を最下位置まで移動させる。この時、ロックアーム６が撓み、係合状態にあったロックアーム６の第一係止部１０と第二コネクタハウジング１１の第二係止部１３との係合が解除される。尚、引き抜き補助突起３７は、開口部１５の上方に位置したままである。
【００８０  】
続いてさらに、図１３に示される如く、上記状態から押圧突起３６の押圧を維持した状態で、更にスライダ３９を矢線Ｄ方向にスライドさせて第一コネクタハウジング４の前部及び第二コネクタハウジング１１の奥壁の間に引き抜き補助突起３７を差し込むように移動させる。この時、引き抜き補助突起３７の傾斜面４１が第二コネクタハウジング１１の奥壁に当接する。
【００８１  】
そして、図１３及び図１４に示される如く、更にスライダ３９をスライドさせ引き抜き補助突起１８の差し込みを継続すると、第二コネクタハウジング１１の奥壁に当接した傾斜面４１がその奥壁を摺動する。この時、傾斜面４１は適宜角度を有していることから、治具本体３８における配置により所定の間隔となる引き抜き補助突起３７及び押圧突起３６によって、第一コネクタハウジング４が矢線Ｃ方向に押し出され、第一コネクタハウジング４の前部及び第二コネクタハウジング１１の奥壁の間隔が徐々に広がる。これにより、相嵌合する第一コネクタ１と第二コネクタ２との離脱が開始する。
【００８２  】
ある程度、上記間隔が広がると、第一コネクタハウジング４及び第二コネクタハウジング１１同士、特に上記図示しない端子金具同士の摩擦抵抗が緩和される。この状態において、作業者自身の手で第一コネクタ１及び第二コネクタ２それぞれを引っ張ると容易にこれらが離脱し、作業が完了する。
【００８３  】
以上、図９ないし図１４までを参照しながら説明してきたように、第一コネクタ１と第二コネクタ２との嵌合状態からこれら二つのコネクタ１、２を離脱させるためにコネクタ離脱用治具３４が用いられる。従って、少なくとも離脱の作業に必要な数だけコネクタ離脱用治具３４を揃えればよく、従来のようなコネクタハウジング毎の構成部品点数の増大につながることはない。また、コネクタ離脱用治具３４は、第一コネクタ１及び第二コネクタ２それぞれに対し別体になることから、コネクタ全体の構造が複雑化したり大型化したりすることもない。
【００８４  】
その他、本発明は本発明の主旨を変えない範囲で種々変更実施可能なことは勿論である。
【００８５  】
【発明の効果】
以上説明したように、請求項１に記載された本発明によれば、第一コネクタと第二コネクタとの嵌合状態からこれら二つのコネクタを離脱させるためにコネクタ離脱用治具を用いる。少なくとも離脱の作業に必要な数だけコネクタ離脱用治具を揃えればよく、コネクタハウジング毎の構成部品点数の増大につながることはない。また、コネクタ離脱用治具は、第一コネクタ及び第二コネクタそれぞれに対し別体になることから、コネクタ全体の構造が複雑化したり大型化したりすることもない。従って、構成部品点数を削減し、構造を簡素化し、サイズを小型化した上で、容易にコネクタの離脱を行うことが可能なコネクタの離脱構造を提供することができるという効果を奏する。
【００８６  】
請求項２に記載された本発明によれば、例えば作業環境や端子金具同士の摩擦抵抗の大小に応じてコネクタ離脱用治具の使い分けをすることができる。従って、コネクタの離脱に係る作業性の向上を図ることができるという効果を奏する。その他、指で直接差し込みを行う場合はコネクタ離脱用治具の構造を簡素化することができるという効果も奏する。
【００８７  】
請求項３に記載された本発明によれば、引き抜き補助突起を第一コネクタハウジングの前部及び第二コネクタハウジングの奥壁の間にスムーズに案内することができる。従って、コネクタの離脱に係る作業性の向上を図ることができるという効果を奏する。
【００８８  】
請求項４に記載された本発明によれば、第一コネクタと第二コネクタとの嵌合状態からこれら二つのコネクタを離脱させる際に用いる。少なくとも離脱の作業に必要な数だけコネクタ離脱用治具を揃えればよく、コネクタハウジング毎の構成部品点数の増大につながることはない。また、第一コネクタ及び第二コネクタそれぞれに対し別体になることから、コネクタ全体の構造が複雑化したり大型化したりすることもない。従って、構成部品点数を削減し、構造を簡素化し、サイズを小型化した上で、容易にコネクタの離脱を行うことが可能なコネクタ離脱用治具を提供することができるという効果を奏する。
【００８９  】
請求項５に記載された本発明によれば、第一コネクタハウジングのロックアームの押圧操作部と第二コネクタハウジングの奥壁との間隔が一定でない様々なタイプのコネクタの離脱に適用することができるという効果を奏する。
【００９０  】
請求項６、７に記載された本発明によれば、コネクタの離脱に係る作業性の向上を図ることができるという効果を奏する。
【００９１  】
請求項８に記載された本発明によれば、第一コネクタと第二コネクタとの嵌合状態からこれら二つのコネクタを離脱させる際に用いる。少なくとも離脱の作業に必要な数だけコネクタ離脱用治具を揃えればよく、コネクタハウジング毎の構成部品点数の増大につながることはない。また、第一コネクタ及び第二コネクタそれぞれに対し別体になることから、コネクタ全体の構造が複雑化したり大型化したりすることもない。従って、構成部品点数を削減し、構造を簡素化し、サイズを小型化した上で、容易にコネクタの離脱を行うことが可能なコネクタ離脱用治具を提供することができるという効果を奏する。
【００９２  】
請求項９に記載された本発明によれば、コネクタの離脱に係る作業性の向上を図ることができるという効果を奏する。
【図面の簡単な説明】
【図１】本発明によるコネクタの離脱構造及びコネクタ離脱用治具の一実施の形態を示す斜視図である。
【図２】第一コネクタ及び第二コネクタの嵌合状態を示す断面図である。
【図３】コネクタの離脱に係る作業開始時のコネクタ離脱用治具の位置関係を示す断面図である。
【図４】コネクタ離脱用治具の押圧突起がロックアームの押圧操作部に当接した状態を示す断面図である。
【図５】コネクタ離脱用治具の押圧突起がロックアームの押圧操作部を押圧しロックアームを撓ませてロックアームの第一係止部と第二コネクタの第二コネクタハウジングの第二係止部との係合を解除した状態を示す断面図である。
【図６】第一コネクタハウジングの前部及び第二コネクタハウジングの奥壁との間にコネクタ離脱用治具の引き抜き補助突起が差し込まれ第一コネクタと第二コネクタとの離脱が開始した状態を示す断面図である。
【図７】図１のコネクタ離脱用治具の第一変形例であり、（ａ）は第一コネクタハウジングのロックアームの押圧操作部と第二コネクタハウジングの奥壁との間隔が広い場合の使用例を示すコネクタ離脱用治具の斜視図、（ｂ）は（ａ）に対応する第一コネクタハウジングの斜視図、（ｃ）は第一コネクタハウジングのロックアームの押圧操作部と第二コネクタハウジングの奥壁との間隔が狭い場合の使用例を示すコネクタ離脱用治具の斜視図、（ｄ）は（ｃ）に対応する第一コネクタハウジングの斜視図である。
【図８】図１のコネクタ離脱用治具の第二変形例を示す斜視図である。
【図９】本発明によるコネクタの離脱構造及びコネクタ離脱用治具の他の一実施の形態を示す分解斜視図である。
【図１０】コネクタの離脱に係る作業開始時のコネクタ離脱用治具の位置関係を示す断面図である。
【図１１】図１０の状態においてのコネクタ離脱用治具の斜視図であり、（ａ）は治具全体の斜視図、（ｂ）は部分的な斜視図である。
【図１２】コネクタ離脱用治具の押圧突起がロックアームの押圧操作部を押圧しロックアームを撓ませてロックアームの第一係止部と第二コネクタの第二コネクタハウジングの第二係止部との係合を解除した状態を示す断面図である。
【図１３】第一コネクタハウジングの前部及び第二コネクタハウジングの奥壁との間にコネクタ離脱用治具の引き抜き補助突起が差し込まれ第一コネクタと第二コネクタとの離脱が開始した状態を示す断面図である。
【図１４】図１３の状態においてのコネクタ離脱用治具の斜視図であり、（ａ）は治具全体の斜視図、（ｂ）は部分的な斜視図である。
【図１５】従来例のレバー嵌合式コネクタの斜視図である。
【図１６】図１５の一方のコネクタハウジング及びレバーを示す断面図である。
【図１７】図１５の双方のコネクタハウジングを嵌合する過程を示す説明図である。
【図１８】図１７のコネクタハウジング相互の嵌合時におけるレバーの可撓係止腕の状態を示す説明図である。
【図１９】図１８のレバーを更に回動させレバーのロックを開始する状態を示す説明図である。
【図２０】図１９のレバーの回動を継続してロックが行われた状態を示す説明図である。
【図２１】図２０のレバーのロックを解除する操作を示す説明図である。
【符号の説明】
１  第一コネクタ
２  第二コネクタ
３  コネクタ離脱用治具
４  第一コネクタハウジング
６  ロックアーム
９  押圧操作部
１０  第一係止部
１１  第二コネクタハウジング
１３  第二係止部
１５  開口部
１６  テーパ
１７  押圧突起
１８  引き抜き補助突起
１９  ブリッジ部
２０  傾斜面
２１  コネクタ離脱用治具
２２  押圧突起
２３  引き抜き補助突起
２４  ブリッジ部
２５  摺動部
２６  ロック部
２７  傾斜面
２８  被ロック部
２９、３０  第一コネクタハウジング
３１  コネクタ離脱用治具
３２  指先
３３  装着部
３４  コネクタ離脱用治具
３５  突条部
３６  押圧突起
３７  引き抜き補助突起
３８  治具本体
３９  スライダ
４０  第一被駆動ピン
４１  傾斜面
４２  第二被駆動ピン
４３  第一案内孔
４４  第二案内孔
４５  第三案内孔
４６  スリット
４７  スライド部
４８  連結部
４９  第一カム溝
５０  第二カム溝
【図１】
0003851839.tif 000002
【図２】
0003851839.tif 000003
【図３】
0003851839.tif 000004
【図４】
0003851839.tif 000005
【図５】
0003851839.tif 000006
【図６】
0003851839.tif 000007
【図７】
0003851839.tif 000008
【図８】
0003851839.tif 000009
【図９】
0003851839.tif 000010
【図１０】
0003851839.tif 000011
【図１１】
0003851839.tif 000012
【図１２】
0003851839.tif 000013
【図１３】
0003851839.tif 000014
【図１４】
0003851839.tif 000015
【図１５】
0003851839.tif 000016
【図１６】
0003851839.tif 000017
【図１７】
0003851839.tif 000018
【図１８】
0003851839.tif 000019
【図１９】
0003851839.tif 000020
【図２０】
0003851839.tif 000021
【図２１】
0003851839.tif 000022